(57)【要約】      （修正有）【課題】特定エリアに存在する無線端末の属性を考慮して被制御装置を制御することができる方法を提供する。【解決手段】無線通信装置は、無線端末と接続しＳ１０１、無線端末の属性の判断条件を示す属性分類情報に基づいて、接続している無線端末の属性を判断しＳ１０２、無線通信装置は、制御装置に対して判断結果を出力するＳ１０３。【選択図】図２
2019102983.tif 000002
【特許請求の範囲】
【請求項１】
無線端末と接続する無線接続部と、
前記無線端末の属性の判断条件を示す属性分類情報に基づいて、前記接続している前記無線端末の前記属性を判断した判断結果を出力する端末属性判断部と
を備えることを特徴とする無線通信装置。
【請求項２】
前記無線接続部は、前記無線端末のアクセスコントロールを行わない
ことを特徴とする請求項１に記載の無線通信装置。
【請求項３】
前記属性分類情報は、前記無線端末の識別情報と前記無線端末の前記属性との関係である
ことを特徴とする請求項１あるいは請求項２に記載の無線通信装置。
【請求項４】
前記属性分類情報は、前記無線端末と自装置との間の距離と、前記無線端末の前記属性との関係である
ことを特徴とする請求項１あるいは請求項２に記載の無線通信装置。
【請求項５】
前記属性の前記判断結果は、前記属性のいずれか一つ以上についての、当該属性に属する前記無線端末の台数を含む
ことを特徴とする請求項１から請求項４のいずれかに記載の無線通信装置。
【請求項６】
前記属性の前記判断結果は、前記属性のいずれか一つ以上についての、当該属性に属する前記無線端末の識別情報を含む
ことを特徴とする請求項１から請求項５のいずれかに記載の無線通信装置。
【請求項７】
請求項１から請求項６のいずれかに記載の無線通信装置と、
前記無線端末と、
制御装置と
を備え、
前記無線通信装置は、前記判断結果を前記制御装置へ出力する
ことを特徴とする無線通信システム。
【請求項８】
無線通信装置に接続している無線端末の属性を前記無線通信装置が判断した判断結果を受信する判断結果受信部と、
前記判断結果に応じた制御を行う制御部と
を備えることを特徴とする制御装置。
【請求項９】
無線端末と接続し、
前記無線端末の属性の判断条件を示す属性分類情報に基づいて、前記接続している前記無線端末の前記属性を判断した判断結果を出力する
ことを特徴とする無線通信方法。
【請求項１０】
無線通信装置に接続している無線端末の属性を前記無線通信装置が判断した判断結果を受信し、
前記判断結果に応じた制御を行う
ことを特徴とする制御方法。
【発明の詳細な説明】
【技術分野】
【０００１】
本発明は、通信可能エリアが比較的狭い、無線通信装置、システム、方法およびプログラムに関する。
【背景技術】
【０００２】
家庭や企業等の特定のエリア内に人が存在するかどうかを検知する方法の一つに、専用のセンサーを設置する方法がある。
【０００３】
たとえば、特許文献１に記載の方法では、人の存在を検知する人体センサーを家庭内に設置する。そして、人の存在が検知されない状態の継続時間が監視時間に達した場合に、家庭へのガスの供給を遮断する。
【０００４】
しかし、この方法は、専用のセンサーの設置を必要とする。
【０００５】
一方、特許文献２に記載の方法では、フェムトセルアクセスポイントが、監視対象の無線端末のフェムトセルへの在圏状態を判断し、在圏状態が変化した場合に通知先へ通知を行う。そして、通知先の装置が、フェムトセルの圏内に入った無線端末、あるいは、圏外に出た無線端末に対して、制御の変更（カメラのオフ／オンなど）を行う。
【０００６】
このように、特許文献２に記載の方法では、監視対象の無線端末の特定のエリアへの出入りを検知することができる。しかし、この方法では、特定のエリア内に人（無線端末）が存在するかどうかの検知は行っていない。
【０００７】
これに対し、特許文献３に記載の方法では、フェムトセルに接続している無線端末のすべてがフェムトセルの圏外となるか／いずれかが圏内になるかを判断した結果に基づいて被制御機器を制御（セキュリティシステムのロックなど）する。
【０００８】
この方法では、人の存在有無の代わりに無線端末の存在有無を検知するため、専用のセンサーを使用せずに、特定のエリア内に人が存在するかどうかを検知することができる。
【先行技術文献】
【特許文献】
【０００９】
【特許文献１】特開平１０−１７２４０５号公報
【特許文献２】国際公開第２０１２／０２６０８６号
【特許文献３】特開２０１４−１３８２２２号公報
【発明の概要】
【発明が解決しようとする課題】
【００１０】
フェムトセルへのアクセスコントロールを行う方法として、３ＧＰＰ（Third Generation Partnership Project）においてＣＳＧ（Closed Subscriber Group）方式が標準化されている。
【００１１】
特許文献３に記載の方法では、ＣＳＧによって無線端末のアクセスコントロールを行い、フェムトセルへのアクセスが許可された無線端末を、特定のエリアに存在する無線端末と判断する。
【００１２】
しかし、標準化前の古い無線端末がＣＳＧに対応していない等の理由により、ＣＳＧはあまり普及していない。そのため、フェムトセルアクセスポイントは、誰でもフェムトセルアクセスポイントへ接続することができるオープンモードでの運用が主流である。
【００１３】
オープンモードで運用されているフェムトセルアクセスポイントが特許文献３に記載の方法で無線端末の存在有無を判断すると、フェムトセルに接続するすべての無線端末を、特定のエリアに存在する無線端末と判断することになる。たとえば、たまたま家の近くを通りかかった人物の無線端末がフェムトセルアクセスポイントに接続した場合に、家に人が存在するという誤った判断をしてしまう。
【００１４】
このように、特許文献３に記載の方法では、フェムトセルアクセスポイントは、その家のメンバーの無線端末かどうかといった無線端末の属性に関係なく、特定のエリアに無線端末が存在するかどうかを判断する。そのため、無線端末の存在有無が誤って判断されることによって、制御装置が被制御装置に対して誤った制御を行う可能性がある。
【００１５】
本発明の目的は、特定エリアに存在する無線端末の属性を考慮して被制御装置を制御することを可能にする、無線通信装置、システム、方法およびプログラムを提供することにある。
【課題を解決するための手段】
【００１６】
上述の問題を解決するために、本発明の無線通信装置は、無線端末と接続する無線接続部と、前記無線端末の属性の判断条件を示す属性分類情報に基づいて、前記接続している前記無線端末の前記属性を判断した判断結果を出力する端末属性判断部とを備えることを特徴とする。
【００１７】
また、本発明の制御装置は、無線通信装置に接続している無線端末の属性を前記無線通信装置が判断した判断結果を受信する判断結果受信部と、前記判断結果に応じた制御を行う制御部とを備えることを特徴とする。
【００１８】
また、本発明の無線通信方法は、無線端末と接続し、前記無線端末の属性の判断条件を示す属性分類情報に基づいて、前記接続している前記無線端末の前記属性を判断した判断結果を出力することを特徴とする。
【００１９】
また、本発明の制御方法は、無線通信装置に接続している無線端末の属性を前記無線通信装置が判断した判断結果を受信し、前記判断結果に応じた制御を行うことを特徴とする。
【００２０】
また、本発明の無線通信プログラムは、コンピュータに、無線端末と接続する無線接続機能と、前記無線端末の属性の判断条件を示す属性分類情報に基づいて、前記接続している前記無線端末の前記属性を判断した判断結果を出力する端末属性判断機能とを実現させることを特徴とする。
【００２１】
また、本発明の制御プログラムは、コンピュータに、無線通信装置に接続している無線端末の属性を前記無線通信装置が判断した判断結果を受信する判断結果受信機能と、前記判断結果に応じた制御を行う制御機能とを実現させることを特徴とする。
【発明の効果】
【００２２】
本発明の無線通信装置、システム、方法およびプログラムにより、特定エリアに存在する無線端末の属性を考慮して被制御装置を制御することが可能になる。
【図面の簡単な説明】
【００２３】
【図１】本発明の第一の実施形態の無線通信装置の構成例を示す図である。
【図２】本発明の第一の実施形態の無線通信装置の動作例を示す図である。
【図３】本発明の第二の実施形態の無線通信システムの構成例を示す図である。
【図４】本発明の第二の実施形態の制御装置の構成例を示す図である。
【図５】本発明の第二の実施形態の無線通信装置の構成例を示す図である。
【図６】本発明の第二の実施形態の無線通信装置の動作例を示す図である。
【図７】本発明の各実施形態のハードウェア構成例を示す図である。
【発明を実施するための形態】
【００２４】
［第一の実施形態］
本発明の第一の実施の形態について説明する。
【００２５】
図１に本実施形態の無線通信装置１０の構成例を示す。本実施形態の無線通信装置１０は、無線接続部１１および端末属性判断部１２により構成される。
【００２６】
無線接続部１１は、無線端末と接続する部分である。端末属性判断部１２は、前記無線端末の属性の判断条件を示す属性分類情報に基づいて、接続している無線端末の属性を判断した判断結果を出力する部分である。
【００２７】
このように無線通信装置１０を構成することによって、無線通信装置１０は、無線端末の属性の判断条件を示す属性分類情報に基づいて、接続している無線端末の属性を判断した判断結果を出力する。これにより、判断結果を受け取った制御装置が、無線通信装置１０に接続している無線端末の属性を考慮して被制御装置を制御することが可能になる。そのため、特定エリアに存在する無線端末の属性を考慮して被制御装置を制御することが可能になる。
【００２８】
次に、図２に本実施形態の無線通信装置１０の動作の例を示す。
【００２９】
無線接続部１１は、無線端末と接続する（ステップＳ１０１）。端末属性判断部１２は、無線端末の属性の判断条件を示す属性分類情報に基づいて、接続している無線端末の属性を判断した判断結果を出力する（ステップＳ１０２、Ｓ１０３）。
【００３０】
このように動作することによって、無線通信装置１０は、無線端末の識別情報と無線端末の属性との関係を示す属性分類情報に基づいて、接続している無線端末の属性を判断した判断結果を出力する。そのため、特定エリアに存在する無線端末の属性を考慮して被制御装置を制御することが可能になる。
【００３１】
以上で説明したように、本発明の第一の実施形態では、無線通信装置１０は、無線端末の属性の判断条件を示す属性分類情報に基づいて、接続している無線端末の属性を判断した判断結果を出力する。これにより、判断結果を受け取った制御装置が、無線通信装置１０に接続している無線端末の属性を考慮して被制御装置を制御することが可能になる。そのため、特定エリアに存在する無線端末の属性を考慮して被制御装置を制御することが可能になる。
【００３２】
［第二の実施形態］
次に、本発明の第二の実施の形態について説明する。本実施形態では、家族全員が家から出たことを検知して被制御装置を制御する場合の例について説明する。
【００３３】
まず、図３に本実施形態の無線通信システムの構成例を示す。本実施形態の無線通信システムは、無線通信装置２０、無線端末４０、制御装置５０および被制御装置６０により構成される。
【００３４】
無線通信装置２０は、フェムトセルアクセスポイントや、無線ＬＡＮ（Local Area Network）のアクセスポイントなど、通信可能エリアが比較的狭い、無線通信の親機である。無線通信の方式は、特定の無線方式に限定されない。無線通信装置２０は一台以上の無線端末４０と接続することが可能であり、無線通信装置２０に一台の無線端末４０も接続していない状態もあり得る。
【００３５】
制御装置５０は、被制御装置６０を制御するための情報を無線通信装置２０から受け取り、その情報に応じて被制御装置６０を制御する装置である。制御装置５０は、一台以上の無線通信装置２０から制御情報を受け取ることが可能であり、また、一台以上の被制御装置６０を制御することが可能である。なお、被制御装置６０は、無線端末４０であっても良い。また、無線通信装置２０が制御装置５０の機能を備えることも可能である。
【００３６】
次に、図４を用いて、本実施形態の制御装置５０の構成例について説明する。
【００３７】
本実施形態の制御装置５０は、判断結果受信部５１および制御部５２により構成される。判断結果受信部５１は、無線通信装置２０の属性判断の判断結果を受信する部分である。制御部５２は、判断結果に基づいて被制御装置６０を制御する部分である。
【００３８】
次に、図５を用いて、本実施形態の無線通信装置２０の構成例について説明する。本実施形態の無線通信装置２０は、無線接続部１１、端末属性判断部１２、属性分類情報記憶部２３および端末情報記憶部２４により構成される。
【００３９】
無線接続部１１は、無線端末４０と接続する部分である。本実施形態では、無線接続部１１は、接続している無線端末４０の識別情報のリスト（接続端末リスト）を端末情報記憶部２４に記憶させる。無線接続部１１は、無線接続部１１に接続している無線端末４０の識別情報を定期的に端末情報記憶部２４に記憶させても良い。あるいは、無線端末４０が無線接続部１１に接続した際に、その無線端末４０の識別情報を端末情報記憶部２４に記憶させても良い。無線端末４０と無線接続部１１との接続が解消して所定時間が経過した際に、その無線端末４０の識別情報を端末情報記憶部２４が記憶している接続端末リストから削除しても良い。
【００４０】
識別情報には、ＩＭＥＩ（International Mobile Equipment Identity）、ＭＡＣ（Media Access Control）アドレス、ＩＭＳＩ（International Mobile Subscriber Identity）等を使用することができる。
【００４１】
本実施形態では、無線接続部１１は、無線端末４０に対するアクセスコントロールを行わないものとする。そのため、無線通信装置２０には、家族の無線端末４０の他に、家族以外の無線端末４０も接続することができる。
【００４２】
端末属性判断部１２は、接続している無線端末４０の属性を属性分類情報に基づいて判断し、その判断結果を出力する部分である。属性分類情報は、無線端末４０の属性の判断条件を示す情報である。
【００４３】
属性分類情報記憶部２３は、属性分類情報を記憶する部分である。本実施形態では、属性分類情報は、無線端末４０の識別情報と無線端末４０の属性との関係であるものとする。より具体的には、本実施形態の属性分類情報記憶部２３は、家族の無線端末４０（オーナー端末）の識別情報の一覧（オーナー端末リスト）を属性分類情報として記憶しているものとする。これにより、端末属性判断部１２は、無線通信装置２０に接続している無線端末４０を、オーナー端末とそれ以外（非オーナー端末）の二つの属性に分類することが可能になる。なお、属性分類情報記憶部２３は、属性分類情報として、非オーナー端末の識別情報の一覧（非オーナー端末リスト）を記憶していても良いし、オーナー端末リストと非オーナー端末リストの両方を記憶していても良い。
【００４４】
また、本実施形態では、属性分類情報は、あらかじめ利用者によって属性分類情報記憶部２３に登録されているものとする。また、属性分類情報は、利用者によって更新可能であっても良い。
【００４５】
また、属性の種別の数は、二つに限らず、三つ以上であっても良い。たとえば、家族の無線端末４０の中に、ほとんど家から持ち出さない無線端末４０がある場合に、オーナー端末をさらに二つの属性（たとえば、在宅判断に用いるオーナー端末と在宅判断に用いないオーナー端末）に分けることも可能である。
【００４６】
また、属性分類情報は、無線端末４０と無線通信装置２０（自装置）との間の距離と、無線端末４０の属性との関係であっても良い。たとえば、属性分類情報は、無線通信装置２０からの距離が所定距離以内の無線端末４０をオーナー端末とし、それ以外を非オーナー端末とする、という条件であっても良い。この条件の場合、端末属性判断部１２では、無線端末４０からの受信電波の受信電界強度が所定の値（所定距離に対応）以上のとき、当該無線端末４０をオーナー端末とする。このようにすると、あらかじめ利用者がオーナー端末の識別情報を属性分類情報記憶部２３に登録する手間を省略することが可能になる。
【００４７】
端末属性判断部１２は、接続端末リストと属性分類情報とに基づいて、無線通信装置２０に接続している無線端末４０の属性を判断する。そして、端末属性判断部１２は、判断結果、たとえば、接続しているオーナー端末の台数を制御装置５０へ出力する。判断結果を受信した制御装置５０は、オーナー端末の台数が一台以上から０台へ変化した場合に家族全員が家から出たと判断し、被制御装置６０を制御（施錠など）する。制御装置５０は、オーナー端末の台数が０台へ変化した場合以外に、オーナー端末の台数が変化した場合や、変化のない状態が所定時間以上継続した場合等に、被制御装置６０に対する何らかの制御を行っても良い。また、制御装置５０は、被制御装置６０の制御以外に、所定の通知先に通知する等の動作を行っても良い。
【００４８】
端末属性判断部１２が出力する判断結果は、いずれか一つ以上の属性に属する無線端末４０の識別情報、たとえば、オーナー端末の識別情報を含んでいても良い。また、端末属性判断部１２が出力する判断結果は、前回出力した判断結果との差分情報であっても良い。
【００４９】
また、端末属性判断部１２は、属性判断を定期的に行っても良いし、接続端末リストに変化があったときに行っても良い。また、端末属性判断部１２は、判断結果の出力を、属性判断の度に行っても良いし、判断結果に変化があったときに行っても良い。
【００５０】
このように無線通信装置２０を構成することによって、無線通信装置２０は、無線端末の属性の判断条件を示す属性分類情報に基づいて、接続している無線端末の属性を判断した判断結果を出力する。これにより、判断結果を受け取った制御装置が、無線通信装置２０に接続している無線端末の属性を考慮して被制御装置を制御することが可能になる。そのため、特定エリアに存在する無線端末の属性を考慮して被制御装置を制御することが可能になる。
【００５１】
また、本実施形態では、無線通信装置２０は、属性分類情報としてオーナー端末リストを記憶する。そのため、無線通信装置２０にオーナー端末だけでなく非オーナー端末が接続する場合でも、制御装置５０がオーナー端末の台数による制御を行うことが可能になる。
【００５２】
次に、図６を用いて本実施形態の無線通信装置２０の動作例について説明する。
【００５３】
なお、属性分類情報記憶部２３は、あらかじめ、オーナー端末リストを記憶しているものとする。
【００５４】
まず、無線端末４０は、無線通信装置２０の通信可能エリアに入ると、無線通信装置２０へ接続を要求する。接続要求を受信した無線通信装置２０は（ステップＳ２０１）、要求元の無線端末４０と接続する（ステップＳ２０２）。このとき、無線通信装置２０はアクセスコントロールを行わない。
【００５５】
無線通信装置２０は、無線通信装置２０に接続している無線端末４０の識別情報の一覧（接続端末リスト）を所定時間おきに更新して端末情報記憶部２４に記憶させる（ステップＳ２０３）。なお、無線通信装置２０は、無線端末４０と接続したとき（ステップＳ２０２）や接続を解除したときに接続端末リストを更新しても良い。
【００５６】
次に、無線通信装置２０は、接続端末リストと属性分類情報とに基づいて、無線通信装置２０に接続している無線端末４０の属性（本実施形態の場合、オーナー端末か非オーナー端末か）を判断する（ステップＳ２０４）。そして、無線通信装置２０は、判断結果を制御装置５０へ出力する（ステップＳ２０５）。
【００５７】
判断結果を受信した制御装置５０は、無線通信装置２０に接続するオーナー端末の台数が変化した場合等に、被制御装置６０の制御を行う。たとえば、オーナー端末の台数が一台以上から０台へ変化して所定時間が経過したときに、玄関の施錠を行う。
【００５８】
このように動作することによって、無線通信装置２０は、無線端末の属性の判断条件を示す属性分類情報に基づいて、接続している無線端末の属性を判断した判断結果を出力する。これにより、判断結果を受け取った制御装置が、無線通信装置２０に接続している無線端末の属性を考慮して被制御装置を制御することが可能になる。そのため、特定エリアに存在する無線端末の属性を考慮して被制御装置を制御することが可能になる。
【００５９】
以上で説明したように、本発明の第二の実施形態では、無線通信装置２０は、無線端末の属性の判断条件を示す属性分類情報に基づいて、接続している無線端末の属性を判断した判断結果を出力する。これにより、判断結果を受け取った制御装置が、無線通信装置２０に接続している無線端末の属性を考慮して被制御装置を制御することが可能になる。そのため、特定エリアに存在する無線端末の属性を考慮して被制御装置を制御することが可能になる。
【００６０】
また、本実施形態では、無線通信装置２０は、属性分類情報としてオーナー端末リストを記憶する。そのため、無線通信装置２０にオーナー端末だけでなく非オーナー端末が接続する場合でも、制御装置５０がオーナー端末の台数による制御を行うことが可能になる。
【００６１】
［第三の実施形態］
次に、本発明の第三の実施の形態について説明する。本実施形態では、非オーナー端末が無線通信装置２０に接続した場合に、制御装置５０が非オーナー端末を制御する形態について説明する。
【００６２】
本実施形態の無線通信装置２０の構成例は第二の実施形態と同様である。
【００６３】
本実施形態では、端末属性判断部１２は、判断結果として、非オーナー端末の識別情報および非オーナー端末の接続開始時刻を制御装置５０へ出力する。各々の無線端末４０の接続開始時刻は、無線端末４０の接続時に無線接続部１１が端末情報記憶部２４に記憶させているものとする。
【００６４】
その他の部分については第二の実施形態と同様のため、説明を省略する。
【００６５】
このように無線通信装置２０を構成することによって、無線通信装置２０は、無線端末の属性の判断条件を示す属性分類情報に基づいて、接続している無線端末の属性を判断した判断結果を出力する。これにより、判断結果を受け取った制御装置が、無線通信装置２０に接続している無線端末の属性を考慮して被制御装置を制御することが可能になる。そのため、特定エリアに存在する無線端末の属性を考慮して被制御装置を制御することが可能になる。
【００６６】
次に、図６を用いて本実施形態の無線通信装置２０の動作例について説明する。
【００６７】
ステップＳ２０１からステップＳ２０４までは、第二の実施形態と同様である。
【００６８】
本実施形態では、ステップＳ２０５において、端末属性判断部１２は、非オーナー端末の識別情報および接続開始時刻を制御装置５０へ出力する。
【００６９】
そして、制御装置５０は、非オーナー端末を、無線通信装置２０経由で制御する。
【００７０】
たとえば、非オーナー端末が無線通信装置２０に長時間接続することを避けるために、制御装置５０は、接続開始時刻から所定時間以上が経過した非オーナー端末に対して、無線通信装置２０経由で長時間接続している旨の警告を行うことができる。また、制御装置５０は、判断結果としてオーナー端末の識別情報も受信している場合には、長時間接続している非オーナー端末がある旨のアラーム通知をオーナー端末へ行うことも可能である。
【００７１】
無線通信装置２０がインターネット接続サービスを非オーナー端末へ提供しているような場合には、制御装置５０は、非オーナー端末に対して、より優先的に接続させたい無線通信装置２０をお勧めすることも可能である。より優先的に接続させたい無線通信装置２０とは、たとえば、通信性能がより高い無線通信装置２０や、接続可能台数が多い無線通信装置２０などである。
【００７２】
また、制御装置５０が判断結果の履歴、たとえば、非オーナー端末の接続履歴を蓄積して分析し、分析結果を制御装置５０の運用者等が利用することも可能である。なお、分析は運用者等が行っても良い。たとえば、挙動が怪しい非オーナー端末がある場合に、制御装置５０が運用者に対して通知し、運用者がセキュリティサービス会社などと連携してその非オーナー端末を監視対象とすることも可能である。
【００７３】
また、制御装置５０が属性ごとの台数、接続時間、接続頻度などを蓄積することによって、経営管理数値（ＫＰＩ：Key Performance Indicator）を算出するための基礎データを提供することも可能になる。
【００７４】
このように動作することによって、無線通信装置２０は、無線端末の属性の判断条件を示す属性分類情報に基づいて、接続している無線端末の属性を判断した判断結果を出力する。これにより、判断結果を受け取った制御装置が、無線通信装置２０に接続している無線端末の属性を考慮して被制御装置を制御することが可能になる。そのため、特定エリアに存在する無線端末の属性を考慮して被制御装置を制御することが可能になる。
【００７５】
以上で説明したように、本発明の第三の実施形態では、無線通信装置２０は、無線端末の属性の判断条件を示す属性分類情報に基づいて、接続している無線端末の属性を判断した判断結果を出力する。これにより、判断結果を受け取った制御装置が、無線通信装置２０に接続している無線端末の属性を考慮して被制御装置を制御することが可能になる。そのため、特定エリアに存在する無線端末の属性を考慮して被制御装置を制御することが可能になる。
【００７６】
また、本実施形態の無線通信装置２０は、所定の属性の無線端末４０（たとえば非オーナー端末）の識別情報や台数を判断結果として制御装置５０へ出力する。そのため、制御装置５０は、所定の属性の無線端末４０に対する制御や、所定の属性の無線端末４０の接続履歴の収集が可能になる。
【００７７】
［ハードウェア構成例］
上述した本発明の各実施形態における無線通信装置（１０、２０）を、一つの情報処理装置（コンピュータ）を用いて実現するハードウェア資源の構成例について説明する。なお、無線通信装置は、物理的または機能的に少なくとも二つの情報処理装置を用いて実現してもよい。また、無線通信装置は、専用の装置として実現してもよい。また、無線通信装置の一部の機能のみを情報処理装置を用いて実現しても良い。
【００７８】
図７は、本発明の各実施形態の無線通信装置を実現可能な情報処理装置のハードウェア構成例を概略的に示す図である。情報処理装置９０は、通信インタフェース９１、入出力インタフェース９２、演算装置９３、記憶装置９４、不揮発性記憶装置９５およびドライブ装置９６を備える。
【００７９】
通信インタフェース９１は、各実施形態の無線通信装置が、有線あるいは／および無線で外部装置と通信するための通信手段である。なお、無線通信装置を、少なくとも二つの情報処理装置を用いて実現する場合、それらの装置の間を通信インタフェース９１経由で相互に通信可能なように接続しても良い。
【００８０】
入出力インタフェース９２は、入力デバイスの一例であるキーボードや、出力デバイスとしてのディスプレイ等のマンマシンインタフェースである。
【００８１】
演算装置９３は、汎用のＣＰＵ（Central Processing Unit）やマイクロプロセッサ等の演算処理装置である。演算装置９３は、たとえば、不揮発性記憶装置９５に記憶された各種プログラムを記憶装置９４に読み出し、読み出したプログラムに従って処理を実行することが可能である。
【００８２】
記憶装置９４は、演算装置９３から参照可能な、ＲＡＭ（Random Access Memory）等のメモリ装置であり、プログラムや各種データ等を記憶する。記憶装置９４は、揮発性のメモリ装置であっても良い。
【００８３】
不揮発性記憶装置９５は、たとえば、ＲＯＭ（Read Only Memory）、フラッシュメモリ、等の、不揮発性の記憶装置であり、各種プログラムやデータ等を記憶することが可能である。
【００８４】
ドライブ装置９６は、たとえば、後述する記録媒体９７に対するデータの読み込みや書き込みを処理する装置である。
【００８５】
記録媒体９７は、たとえば、光ディスク、光磁気ディスク、半導体フラッシュメモリ等、データを記録可能な任意の記録媒体である。
【００８６】
本発明の各実施形態は、たとえば、図７に例示した情報処理装置９０により無線通信装置を構成し、この無線通信装置に対して、上記各実施形態において説明した機能を実現可能なプログラムを供給することにより実現してもよい。
【００８７】
この場合、無線通信装置に対して供給したプログラムを、演算装置９３が実行することによって、実施形態を実現することが可能である。また、無線通信装置のすべてではなく、一部の機能を情報処理装置９０で構成することも可能である。
【００８８】
さらに、上記プログラムを記録媒体９７に記録しておき、無線通信装置の出荷段階、あるいは運用段階等において、適宜上記プログラムが不揮発性記憶装置９５に格納されるよう構成してもよい。なお、この場合、上記プログラムの供給方法は、出荷前の製造段階、あるいは運用段階等において、適当な治具を利用して無線通信装置内にインストールする方法を採用してもよい。また、上記プログラムの供給方法は、インターネット等の通信回線を介して外部からダウンロードする方法等の一般的な手順を採用してもよい。
【００８９】
なお、上述する各実施の形態は、本発明の好適な実施の形態であり、本発明の要旨を逸脱しない範囲内において種々変更実施が可能である。
【００９０】
上記の実施形態の一部または全部は、以下の付記のようにも記載されうるが、以下には限られない。
【００９１】
（付記１）
無線端末と接続する無線接続部と、
前記無線端末の属性の判断条件を示す属性分類情報に基づいて、前記接続している前記無線端末の前記属性を判断した判断結果を出力する端末属性判断部と
を備えることを特徴とする無線通信装置。
【００９２】
（付記２）
前記無線接続部は、前記無線端末のアクセスコントロールを行わない
ことを特徴とする付記１に記載の無線通信装置。
【００９３】
（付記３）
前記属性分類情報は、前記無線端末の識別情報と前記無線端末の前記属性との関係である
ことを特徴とする付記１あるいは付記２に記載の無線通信装置。
【００９４】
（付記４）
前記属性分類情報は、前記無線端末と自装置との間の距離と、前記無線端末の前記属性との関係である
ことを特徴とする付記１あるいは付記２に記載の無線通信装置。
【００９５】
（付記５）
前記端末属性判断部は、前記距離を前記無線端末からの受信電波の受信電界強度に基づいて判断する
ことを特徴とする付記４に記載の無線通信装置。
【００９６】
（付記６）
前記属性の前記判断結果は、前記属性のいずれか一つ以上についての、当該属性に属する前記無線端末の台数を含む
ことを特徴とする付記１から付記５のいずれかに記載の無線通信装置。
【００９７】
（付記７）
前記属性の前記判断結果は、前記属性のいずれか一つ以上についての、当該属性に属する前記無線端末の識別情報を含む
ことを特徴とする付記１から付記６のいずれかに記載の無線通信装置。
【００９８】
（付記８）
前記属性の前記判断結果は、前回出力した前記判断結果との差分情報を含む
ことを特徴とする付記１から付記５のいずれかに記載の無線通信装置。
【００９９】
（付記９）
前記属性の前記判断結果は、前記無線端末の接続開始時刻を含む
ことを特徴とする付記１から付記８のいずれかに記載の無線通信装置。
【０１００】
（付記１０）
付記１から付記９のいずれかに記載の無線通信装置と、
前記無線端末と、
制御装置と
を備え、
前記無線通信装置は、前記判断結果を前記制御装置へ出力する
ことを特徴とする無線通信システム。
【０１０１】
（付記１１）
前記制御装置は、前記判断結果に応じて前記無線端末を制御する
ことを特徴とする付記１０に記載の無線通信システム。
【０１０２】
（付記１２）
被制御装置をさらに備え、
前記制御装置は、前記判断結果に応じて前記被制御装置を制御する
ことを特徴とする付記１０に記載の無線通信システム。
【０１０３】
（付記１３）
前記制御装置は、前記判断結果の履歴を蓄積する
ことを特徴とする付記１０から付記１２のいずれかに記載の無線通信システム。
【０１０４】
（付記１４）
無線通信装置に接続している無線端末の属性を前記無線通信装置が判断した判断結果を受信する判断結果受信部と、
前記判断結果に応じた制御を行う制御部と
を備えることを特徴とする制御装置。
【０１０５】
（付記１５）
前記制御部は、前記判断結果に応じて前記無線端末を制御する
をことを特徴とする付記１４に記載の制御装置。
【０１０６】
（付記１６）
前記制御部は、前記判断結果に応じて被制御装置を制御する
をことを特徴とする付記１４に記載の制御装置。
【０１０７】
（付記１７）
前記制御部は、前記判断結果の履歴を蓄積する
をことを特徴とする付記１４に記載の制御装置。
【０１０８】
（付記１８）
無線端末と接続し、
前記無線端末の属性の判断条件を示す属性分類情報に基づいて、前記接続している前記無線端末の前記属性を判断した判断結果を出力する
ことを特徴とする無線通信方法。
【０１０９】
（付記１９）
前記無線端末のアクセスコントロールを行わない
ことを特徴とする付記１８に記載の無線通信方法。
【０１１０】
（付記２０）
前記属性分類情報は、前記無線端末の識別情報と前記無線端末の前記属性との関係である
ことを特徴とする付記１８あるいは付記１９に記載の無線通信方法。
【０１１１】
（付記２１）
前記属性分類情報は、前記無線端末と自装置との間の距離と、前記無線端末の前記属性との関係である
ことを特徴とする付記１８あるいは付記１９に記載の無線通信方法。
【０１１２】
（付記２２）
前記距離を前記無線端末からの受信電波の受信電界強度に基づいて判断する
ことを特徴とする付記２１に記載の無線通信方法。
【０１１３】
（付記２３）
前記属性の前記判断結果は、前記属性のいずれか一つ以上についての、当該属性に属する前記無線端末の台数を含む
ことを特徴とする付記１８から付記２２のいずれかに記載の無線通信方法。
【０１１４】
（付記２４）
前記属性の前記判断結果は、前記属性のいずれか一つ以上についての、当該属性に属する前記無線端末の識別情報を含む
ことを特徴とする付記１８から付記２３のいずれかに記載の無線通信方法。
【０１１５】
（付記２５）
前記属性の前記判断結果は、前回出力した前記判断結果との差分情報を含む
ことを特徴とする付記１８から付記２２のいずれかに記載の無線通信方法。
【０１１６】
（付記２６）
前記属性の前記判断結果は、前記無線端末の接続開始時刻を含む
ことを特徴とする付記１８から付記２５のいずれかに記載の無線通信方法。
【０１１７】
（付記２７）
無線通信装置に接続している無線端末の属性を前記無線通信装置が判断した判断結果を受信し、
前記判断結果に応じた制御を行う
ことを特徴とする制御方法。
【０１１８】
（付記２８）
前記判断結果に応じて前記無線端末を制御する
をことを特徴とする付記２７に記載の制御方法。
【０１１９】
（付記２９）
前記判断結果に応じて被制御装置を制御する
をことを特徴とする付記２７に記載の制御方法。
【０１２０】
（付記３０）
前記判断結果の履歴を蓄積する
をことを特徴とする付記２７に記載の制御方法。
【０１２１】
（付記３１）
コンピュータに、
無線端末と接続する無線接続機能と、
前記無線端末の属性の判断条件を示す属性分類情報に基づいて、前記接続している前記無線端末の前記属性を判断した判断結果を出力する端末属性判断機能と
を実現させることを特徴とする無線通信プログラム。
【０１２２】
（付記３２）
前記無線接続機能は、前記無線端末のアクセスコントロールを行わない
ことを特徴とする付記３１に記載の無線通信プログラム。
【０１２３】
（付記３３）
前記属性分類情報は、前記無線端末の識別情報と前記無線端末の前記属性との関係である
ことを特徴とする付記３１あるいは付記３２に記載の無線通信プログラム。
【０１２４】
（付記３４）
前記属性分類情報は、前記無線端末と自装置との間の距離と、前記無線端末の前記属性との関係である
ことを特徴とする付記３１あるいは付記３２に記載の無線通信プログラム。
【０１２５】
（付記３５）
前記端末属性判断機能は、前記距離を前記無線端末からの受信電波の受信電界強度に基づいて判断する
ことを特徴とする付記３４に記載の無線通信プログラム。
【０１２６】
（付記３６）
前記属性の前記判断結果は、前記属性のいずれか一つ以上についての、当該属性に属する前記無線端末の台数を含む
ことを特徴とする付記３１から付記３５のいずれかに記載の無線通信プログラム。
【０１２７】
（付記３７）
前記属性の前記判断結果は、前記属性のいずれか一つ以上についての、当該属性に属する前記無線端末の識別情報を含む
ことを特徴とする付記３１から付記３６のいずれかに記載の無線通信プログラム。
【０１２８】
（付記３８）
前記属性の前記判断結果は、前回出力した前記判断結果との差分情報を含む
ことを特徴とする付記３１から付記３５のいずれかに記載の無線通信プログラム。
【０１２９】
（付記３９）
前記属性の前記判断結果は、前記無線端末の接続開始時刻を含む
ことを特徴とする付記３１から付記３８のいずれかに記載の無線通信プログラム。
【０１３０】
（付記４０）
コンピュータに、
無線通信装置に接続している無線端末の属性を前記無線通信装置が判断した判断結果を受信する判断結果受信機能と、
前記判断結果に応じた制御を行う制御機能と
を実現させることを特徴とする制御プログラム。
【０１３１】
（付記４１）
前記制御機能は、前記判断結果に応じて前記無線端末を制御する
をことを特徴とする付記４０に記載の制御プログラム。
【０１３２】
（付記４２）
前記制御機能は、前記判断結果に応じて被制御装置を制御する
をことを特徴とする付記４０に記載の制御プログラム。
【０１３３】
（付記４３）
前記制御機能は、前記判断結果の履歴を蓄積する
をことを特徴とする付記４０に記載の制御プログラム。
【符号の説明】
【０１３４】
１０、２０    無線通信装置
１１    無線接続部
１２    端末属性判断部
２３    属性分類情報記憶部
２４    端末情報記憶部
４０    無線端末
５０    制御装置
５１    判断結果受信部
５２    制御部
６０    被制御装置
９０    情報処理装置
９１    通信インタフェース
９２    入出力インタフェース
９３    演算装置
９４    記憶装置
９５    不揮発性記憶装置
９６    ドライブ装置
９７    記録媒体
【図１】
2019102983.tif 000003
【図２】
2019102983.tif 000004
【図３】
2019102983.tif 000005
【図４】
2019102983.tif 000006
【図５】
2019102983.tif 000007
【図６】
2019102983.tif 000008
【図７】
2019102983.tif 000009